(57)【要約】【課題】フラット発光を行う際、フォーカルプレーンシャッタのシャッタ速度に応じて、放電管に供給する発光供給源を選択することができるカメラのためのストロボ装置を提供する。【解決手段】ストロボ光を発光する放電管１２Ａと、メインコンデンサ１７により上記放電管１２Ａを発光させる第１の発光手段と、上記放電管１２Ａを電池１００と発振トランス２４０により複数回発光させる第２の発光手段と、フォーカルプレーンシャッタと、撮影のための露出秒時が上記フォーカルプレーンシャッタのストロボ同調秒時よりも遅いときは、上記放電管１２Ａの発光を上記第１の発光手段を用いて行わせ、ストロボ同調秒時よりも速いときは、上記第２の発光手段を用いて行わせるように制御する制御手段１３０とを有したことを特徴とする。【選択図】　図１１
2004045864.tif 000002
【特許請求の範囲】
【請求項１】
被写体を照射するためのストロボ光を発光する放電管と、
メインコンデンサに蓄えられたエネルギにより、上記放電管を発光させる第１の発光手段と、
上記メインコンデンサを用いずに電池のみにより、上記放電管を複数回発光させる第２の発光手段と、
フォーカルプレーンシャッタと、
撮影のための露出秒時が上記フォーカルプレーンシャッタのストロボ同調秒時、及びストロボ同調秒時よりも遅いときは、上記放電管の発光を上記第１の発光手段を用いて行わせ、撮影のための露出秒時が上記フォーカルプレーンシャッタのストロボ同調秒時よりも速いときは、上記放電管の発光を上記第２の発光手段を用いて行わせるように制御する制御手段と、
を有したことを特徴とするカメラのためのストロボ装置。
【請求項２】
フォーカルプレーンシャッタを有するカメラにおいて、
発振トランスと、上記発振トランスの周期に連動して発光する放電管とを有し、
撮影のための露出秒時が上記フォーカルプレーンシャッタのストロボ同調秒時よりも速いときは、露光が行われている間、発光制御を継続させることを特徴とするカメラのためのストロボ装置。
【請求項３】
フォーカルプレーンシャッタを有するカメラにおいて、
被写体を照射するためのストロボ光を発光する放電管と、上記放電管を発光させる第１の発光手段と、上記放電管を発光させる第２の発光手段とを有し、
撮影のための露出秒時が上記フォーカルプレーンシャッタのストロボ同調秒時、及びストロボ同調秒時よりも遅いときは、上記第１の発光手段にて発光を行い、撮影のための露出秒時が上記フォーカルプレーンシャッタのストロボ同調秒時よりも速いときは、上記第２の発光手段にて発光を行うことを特徴とするカメラのためのストロボ装置。
【請求項４】
上記第１の発光手段は、コンデンサに蓄積されたエネルギを供給して発光させる手段であり、上記第２の発光手段は、発振トランスの周期に連動して発光させる手段であることを特徴とする請求項３に記載のカメラのためのストロボ装置。
【発明の詳細な説明】
【０００１】
【発明の属する技術分野】
本発明は、カメラのためのストロボ装置、詳しくは、通常のストロボ発光機能とフラット発光機能を有するカメラのためのストロボ装置に関する。
【０００２】
【従来の技術】
周知のように、フォーカルプレーンシャッタを有するカメラにおいて、ストロボ装置を使用する場合、撮影のための露出秒時が上記フォーカルプレーンシャッタのストロボ同調秒時よりも速いときには、コンデンサに蓄積したエネルギを少量ずつ断続的に放出することで、Ｘｅ管（キセノン放電管）の発光を一定時間継続して行い、被写体を照射する、所謂フラット発光が用いられている。
【０００３】
【発明が解決しようとする課題】
ところで、上記フラット発光は、フォーカルプレーンシャッタの先幕と後幕が露光のためのスリットを形成しながら移動している間、常に少量の一定量の発光を複数回続けなければならないが、コンデンサに蓄積されたエネルギを使用するためには、このコンデンサに十分な電荷が蓄積されなければならず、その電荷の充電（チャージ）には多少の時間を必要としてしまう。そのため充電完了までの時間を待っているとシャッタチャンスを逃すという虞もある。
【０００４】
また、上記のようなフラット発光でガイドナンバを大きくしようとすると、コンデンサ自体の容量を大きくしなければならず、結果としてカメラの大型化につながる虞がある。
【０００５】
本発明の第１の目的は、上記問題点に鑑みてなされたものであり、露出秒時がフォーカルプレーンシャッタのストロボ同調秒時よりも速いときには、コンデンサを使用せずに、カメラに搭載した電池のみで撮影時のストロボ発光を行うことを可能にしたカメラのためのストロボ装置を提供するにある。
【０００６】
本発明の第２の目的は、フォーカルプレーンシャッタのシャッタ速度に応じて、放電管に供給する発光供給源を選択することができるカメラのためのストロボ装置を提供するにある。
【０００７】
【課題を解決するための手段、及び作用】
上記の目的を達成するために、本発明によるカメラのためのストロボ装置は、被写体を照射するためのストロボ光を発光する放電管と、メインコンデンサに蓄えられたエネルギにより上記放電管を発光させる第１の発光手段と、上記メインコンデンサを用いずに電池のみにより、上記放電管を複数回発光させる第２の発光手段と、フォーカルプレーンシャッタと、撮影のための露出秒時が上記フォーカルプレーンシャッタのストロボ同調秒時、及びストロボ同調秒時よりも遅いときは、上記放電管の発光を上記第１の発光手段を用いて行わせ、撮影のための露出秒時が上記フォーカルプレーンシャッタのストロボ同調秒時よりも速いときは、上記放電管の発光を上記第２の発光手段を用いて行わせるように制御する制御手段とを有したことを特徴とする。
【０００８】
また、本発明によるカメラのためのストロボ装置は、フォーカルプレーンシャッタを有するカメラにおいて、発振トランスと、上記発振トランスの周期に連動して発光する放電管とを有し、撮影のための露出秒時が上記フォーカルプレーンシャッタのストロボ同調秒時よりも速いときは、露光が行われている間、発光制御を継続させることを特徴とする。
【０００９】
さらに、本発明によるカメラのためのストロボ装置は、フォーカルプレーンシャッタを有するカメラにおいて、被写体を照射するためのストロボ光を発光する放電管と、上記放電管を発光させる第１の発光手段と、上記放電管を発光させる第２の発光手段とを有し、撮影のための露出秒時が上記フォーカルプレーンシャッタのストロボ同調秒時、及びストロボ同調秒時よりも遅いときは、上記第１の発光手段にて発光を行い、撮影のための露出秒時が上記フォーカルプレーンシャッタのストロボ同調秒時よりも速いときは、上記第２の発光手段にて発光を行うことを特徴とし、また、上記第１の発光手段は、コンデンサに蓄積されたエネルギを供給して発光させる手段であり、上記第２の発光手段は、発振トランスの周期に連動して発光させる手段であることを特徴とする。
【００１０】
【発明の実施の形態】
以下、図面を参照して本発明の実施の形態を説明する。
図１は、本発明の第１実施の形態を示すストロボ装置を有するカメラを右斜め上方から見た外観斜視図であり、図２は、図１のＩＩ−ＩＩ´線に沿う断面図であり、図３は、図１の内部構成の概略を示した透視斜視図である。
【００１１】
この第１実施形態のカメラのストロボ装置は、本発明の第１の目的を達成するための実施形態である。
【００１２】
図１に示すように、カメラ本体をなす外装筐体１の前面中央部には、被写体を撮像するための撮影光学系を有するレンズ鏡筒８が配設されており、この上方には、被写体を光学的に観察するためのファインダ窓４が配設されており、さらに、前記レンズ鏡筒８の右斜め上方には、被写体にストロボ光を照射するためのストロボ発光窓３が配設されている。
【００１３】
また、前記カメラ外装筐体１の上面左側には、撮影を開始させるためのレリーズ釦５が配設されており、さらに、前記カメラ外装筐体１の背面左側上部には、撮影者が撮影時、前記レンズ鏡筒８を駆動させ被写体を任意の撮影倍率に設定するためのズーム釦６が配設されている。
【００１４】
尚、本第１実施の形態では、上記カメラ外装筐体１の長手方向の長さを“ｌ”と規定する。
【００１５】
図２に示すように、カメラ外装筐体１の内部には、中央部に前記レンズ鏡筒８が光軸方向０に移動自在に配設されており、この左方には、フィルムパトローネ室９が配設されており、また、この右方にはフィルム巻取り用スプール室７が配設されており、さらに、この背面にはフォーカルプレーンシャッタ１０が配設されている。
【００１６】
さらに、図３に示すように、前記レンズ鏡筒８の上方には、ファインダ窓４を含むファインダ光学系４ａが配設されており、また、このファインダ光学系４ａの右方であって、前記カメラ外装筐体１の前面右側上部の位置には、前記ストロボ発光窓３を含むストロボ発光部３ａが配設されており、さらに、このストロボ発光部３ａの背面には、カメラの駆動装置全体に電源を供給する電池１１が配設されている。
【００１７】
前記ストロボ発光部３ａは、図４に示すように、反射傘１５と、発光放電管（以下、Ｘｅ管と称す）１２と、同Ｘｅ管の電極端子１３と、同Ｘｅ管１２の外壁で形成されるトリガ電極とから構成されており、上記反射傘１５は、上記Ｘｅ管１２から放射された光を予め定められた照射範囲に向けて反射させるためのものであり、また上記Ｘｅ管１２は、後述する制御回路３０（図５参照）からの制御信号により発光を開始するものである。
【００１８】
尚、本第１実施の形態では、上記Ｘｅ管の長手方向の長さを“ｍ”と規定する。
【００１９】
図５は、本発明の第１実施の形態を示すカメラのためのストロボ装置の発光回路を示す電気回路図であり、図６は、図５に示した発光回路の各部動作のタイミングチャートである。
【００２０】
図５に示すように、上記発光回路は、電源電池２０と、スイッチング用出力端子ＳＴ１、ＳＴ２、電圧測定端子ＶＢを有する制御回路３０と、ＦＥＴ等からなるスイッチング素子４０、５０と、第１の１次巻線６１、第２の１次巻線６２、上記１次巻線より巻回数の多い第１の２次巻線６３、上記１次巻線６１、６２の巻回数及び第１の２次巻線６３の巻回数より多い巻回数を有するトリガコイルとしての第２の２次巻線６４で構成される発振トランス６０と、表面に透明電極（トリガ電極）７１が塗布されている上記Ｘｅ管１２で構成されている。
【００２１】
前記電源電池２０には、上記第１の１次巻線６１と上記スイッチング素子４０の直列接続回路と、上記第２の１次巻線６２と上記スイッチング素子５０の直列接続回路が並列に接続されている。
【００２２】
また、上記第１の２次巻線６３の両端には、Ｘｅガスが充填してある上記Ｘｅ管１２が並列に接続されており、さらに第２の２次巻線６４の出力端は、前記Ｘｅ管１２の外壁のトリガ電極７１に接続されている。
【００２３】
さらに、上記制御回路３０は、その出力端子ＳＴ１が前記スイッチング素子４０のゲート端子に接続され、また、上記出力端子ＳＴ２が前記スイッチング素子５０のゲート端子に接続されている。
【００２４】
次に、このように構成されたストロボ発光回路のフラット発光動作を、図６のタイミングチャートと共に説明する。
まず、前記図１のレリーズ釦５の押動操作によりレリーズ信号が図示しないＣＰＵに入力されると、カメラは撮影状態となる（図６−ａ参照）。これと共に、図５に示す前記制御回路３０の出力端子ＳＴ１よりオン信号“Ｈ”（ハイ）が出力され（図６−ｂ参照）、上記スイッチング素子４０が導通し、前記電源電池２０からの電流が前記第１の１次巻線６１を通してスイッチング素子４０に流れる。
【００２５】
上記トランス６０の１次巻線に電流が流れると、１次巻線に電気エネルギが発生し、この電気エネルギは電磁誘導作用により、２次巻線６３に伝達される。
【００２６】
２次巻線６３に伝達された磁気エネルギは、電気エネルギに変換され、この２次巻線６３から前記第２の２次巻線６４に向かってエネルギが発生する。このとき、上記第１の２次巻線６３の下方端６３ａ（図５において）の電圧が一番低くなり、上記第２の２次巻線６４の上方端６４ｂ（図５において）の電圧が一番高い状態となっている。尚、この状態では、前記Ｘｅ管１２には電流が流れていないので抵抗値は無限大となり、２次巻線６３の出力側は、高インピーダンス状態となっている。
【００２７】
また、この状態で２次巻線には、１次巻線６１に流れた電流とは反対方向に電気エネルギが発生し、電圧に変換されるため、前記第１の２次巻線の上方端６３ｂ（図５において）に高電圧が発生し、さらに前記第２の２次巻線の上方端６４ｂ（図５において）には前記第１の２次巻線の上方端６３ｂに発生した電圧よりもさらに高い電圧が発生する。よって、上記Ｘｅ管１２の外壁のトリガ電極７１に高電圧が印加され、前記Ｘｅ管１２を励起するようにする（図６−ｄ参照）。
【００２８】
ここで前記スイッチング素子４０のみでは、前記Ｘｅ管１２は励起できないため、前記出力端子ＳＴ１からオフ信号“Ｌ”（ロー）を出力（図６−ｂ参照）すると同時に、上記出力端子ＳＴ２にオン信号“Ｈ”を出力する（図６−ｃ参照）。すると、スイッチング素子４０、並びに第１の１次巻線６１に流れていた電流はオフし、上記スイッチング素子５０が導通するので、前記電池２０からの電流が前記第２の１次巻線６２を通じてスイッチング素子５０に流れる。
【００２９】
上記１次巻線６２に電流が流れると、１次巻線に電気エネルギが発生し、この電気エネルギは電磁誘導作用によって、２次巻線６４に伝達される。
【００３０】
２次巻線６４に伝達された磁気エネルギは、電気エネルギに変換され、この２次巻線６４から前記第２の２次巻線６３に向かってエネルギが発生する。ここで、前記第２の１次巻線６２に流れる電流は、上述した前記第１の１次巻線６１に流れた電流の向きとは反対方向の電流が流れるため、２次巻線６３、６４に発生するエネルギも、上記出力端子ＳＴ１からオン信号を出力させたときとは反対方向のエネルギが発生する。すると、上記Ｘｅ管１２の外壁のトリガ電極７１に前記出力端子ＳＴ１からオン信号を出力させたときとは符号が逆の高電圧が印加される（図６−ｄ参照）。
【００３１】
このように、上記制御回路３０の出力端子ＳＴ１、ＳＴ２から任意の回数交互にオン信号“Ｈ”を出力することにより（図６−ｂ、ｃ参照）、前記Ｘｅ管１２のＸｅガスは励起状態となり、抵抗値が減少する。抵抗値が減少すると、前記第１の２次巻線６３の両端の抵抗値が小さくなり、前記Ｘｅ管１２に電流Ｉｘｅ（図６−ｅ参照）を流そうとするようになる。尚、このように、上記制御回路３０の出力端子ＳＴ１、ＳＴ２が交互にオンオフ信号の出力を繰り返しているため、前記Ｘｅ管１２に流れる電流Ｉｘｅも前記出力端子のオンオフ信号の出力毎に電流の流れる方向が反転する（図６−ｅ参照）。
【００３２】
そして、前記Ｘｅ管１２の抵抗値が低下するにつれ、上記第１の２次巻線６３の両端から電流Ｉｘｅが流れ、前記Ｘｅ管１２は発光する。前記Ｘｅ管１２が発光すると、前記トランス６０の２次巻線側のインピーダンスも低下するため、前記トランス６０の１次巻線側に流れる電流が急増する。よって、前記１次巻線の電流が増加すると、前記電源電池２０の電圧が変動する。この電圧を前記制御回路３０のＶＢ測定端子がモニタして発光を確認し（図６−ｇ参照）、前記電池２０の電圧に応じて、前記出力端子ＳＴ１、ＳＴ２のオンオフ信号の出力周期を徐々に変化させる（図６−ｂ、ｃ参照）。
【００３３】
このようにストロボ回路を制御すると、フォーカルプレーンシャッタの先幕が開放してから、後幕が遮光するまでの間、前記Ｘｅ管１２から一定量の発光を複数回行うことができる（図６−ｅ，ｆ参照）。尚、前記Ｘｅ管１２の発光が開始されて、前記制御回路３０に、不図示の制御装置からの発光停止信号が出力されると、前記制御回路３０の前記出力端子ＳＴ１、ＳＴ２の出力を共にオフさせ（図６−ｂ、ｃ参照）発光は停止する（図６−ｅ参照）。
【００３４】
このように本発明の第１実施の形態を示すカメラのためのストロボ装置においては、Ｘｅ管の発光にコンデンサを使用しないため、カメラ外装筐体を小さく形成することができ、そして、低コスト化を図ることができる。
【００３５】
また、撮影のための露出秒時がフォーカルプレーンシャッタのストロボ同調秒時よりも速い場合、電池から発振トランスを介して直接Ｘｅ管を発光させているので、被写体を均一に照射するフラット発光を行うことができる。
【００３６】
図７は、本発明の第２実施の形態を示すストロボ装置を有するカメラを右斜め上方から見た外観斜視図であり、図８は、図７のＩＸ−ＩＸ´線に沿う断面図であり、図９は、図７の内部構成の概略を示した透視斜視図である。
【００３７】
この第２実施形態のカメラのストロボ装置は、本発明の第２の目的を達成するための実施形態である。
【００３８】
上記第２実施の形態のストロボ装置は、そのカメラ外装筐体、およびカメラの内部構成の概略は、前記図１乃至図４に示した第１実施形態と殆ど同じであり、カメラ外装筐体内にストロボ用メインコンデンサを配設し、Ｘｅ管に供給する発光エネルギを電源電池から直接供給する手段とメインコンデンサに電荷を充電してからＸｅ管に発光エネルギを供給する手段を選択できるストロボ回路を配設した点が異なる。よって、この相違点のみを説明し、第１実施形態と同様の構成部材には同じ符号を付し、その説明は省略する。
【００３９】
図８並びに図９に示すように、ストロボ用メインコンデンサ１７は、カメラ外装筐体１の内部に前記パトローネ室９の左方に配設される。よって、このように上記カメラ外装筐体１内に前記メインコンデンサ１７を配設すると、上記カメラ外装筐体１の長手方向の長さは“ｌ´”となり、第１実施形態で規定した前記カメラ外装筐体１の長手方向の長さ“ｌ”よりも長くなる。
【００４０】
また、図１０は、図９のストロボ発光部３ａの構成を示した断面図であるが、前記ストロボ用メインコンデンサ１７を配設すると、大容量の光量を照射することができるため、上記Ｘｅ管１２Ａの長手方向の長さは“ｍ´”と規定され、前記図３に示した前記Ｘｅ管１２の長手方向の長さ“ｍ”よりも長くなり、ストロボ発光部３ａの長手方向の長さは長くなる。
【００４１】
図１１は、本発明の第２実施の形態を示すカメラのためのストロボ装置の発光回路を示す電気回路図であり、図１２は、図１１に示した発光回路におけるメインコンデンサへの充電動作を説明するタイミングチャートであり、図１３は、図１１に示した発光回路のフラット発光動作を説明するタイミングチャートであり、図１４は、図１１に示した発光回路のメインコンデンサによる発光動作を説明するタイミングチャートである。
【００４２】
図１１に示すように、この第２実施形態におけるストロボ用発光回路は、電源電池１００と、出力端子１４０、１５０、１６０、１７０を有する制御回路１３０と、充電用スイッチング素子２００、２３０と、第１の１次巻線２４１、第２の１次巻線２４２、２次巻線２４３で構成される発振トランス２４０と、ブリッジダイオード２５０と、発光切替用リレースイッチ２６０と、抵抗１１０と、発光用スイッチング素子１２０と、トリガコンデンサ２９０と、１次巻線２８１、２次巻線２８２で構成されるトリガコイル２８０と、ストロボ用メインコンデンサ１７と、発光しやすくするために、表面に透明電極（トリガ電極）３０１が塗布されているＸｅ管１２Ａで構成されている。
【００４３】
前記電源電池１００には、上記発振トランス２４０の上記第１の１次巻線２４１と上記充電用スイッチング素子２００の直列接続回路と、上記発振トランス２４０の上記第２の１次巻線２４２と上記充電用スイッチング素子２３０の直列接続回路が並列に接続されている。
【００４４】
また、前記充電用スイッチング素子２００のゲート端子は、前記制御回路１３０の上記出力端子１５０に接続されており、さらに、前記充電用スイッチング素子２３０のゲート端子は、前記制御回路１３０の上記出力端子１４０に接続されており、また、前記発振トランス２４０の前記２次巻線２４３の両端は、上記ブリッジダイオード２５０の入力端に接続されている。
【００４５】
上記ブリッジダイオード２５０の出力端には、前記発光切替用リレースイッチ２６０と前記ストロボ用メインコンデンサ１７の直列接続回路と、前記Ｘｅ管１２Ａと前記発光用スイッチング素子１２０の直列接続回路と、前記抵抗１１０と前記トリガコンデンサ２９０と前記トリガコイル２８０の１次巻線２８１の直列回路が並列に接続されている。
【００４６】
また、上記発光切替用リレースイッチ２６０の制御端子は、前記制御回路１３０の出力端子１６０に接続され、また、前記発光用スイッチング素子１２０のゲート端子は、前記制御回路１３０の出力端子１７０に接続され、さらに、前記Ｘｅ管１２Ａと前記発光用スイッチング素子１２０の接続点には、前記抵抗１１０と前記トリガコンデンサ２９０の接続点が接続されている。
【００４７】
次に上述したように構成されたストロボ発光回路のメインコンデンサへの充電動作を、図１１と図１２のタイムチャートを用いて説明する。
初期状態において、前記制御回路１３０の上記出力端子１６０より、オン信号“Ｈ”が出力されると（図１２−ｂ参照）、前記発光切替用リレースイッチ２６０は閉じ、前記メインコンデンサ１７への充電が可能となる。
【００４８】
次に、前記制御回路１３０の上記出力端子１５０より、オン信号“Ｈ”が出力されると（図１２−ｃ参照）、前記電源電池１００より上記発振トランス２４０の第１の１次巻線２４１、前記充電用スイッチング素子２００に電流が流れる。
【００４９】
前記第１の１次巻線２４１に電流が流れると、１次巻線に電気エネルギが発生し、この電気エネルギは電磁誘導作用により、上記発振トランス２４０の２次巻線２４３に伝達され、この２次巻線２４３で磁気エネルギは電気エネルギに変換され、２次巻線２４３には電流が流れる。この電流は前記ブリッジダイオード２５０により直流化されて前記メインコンデンサ１７と上記トリガコンデンサ２９０に電荷として蓄積される。
【００５０】
前記第１の１次巻線２４１によって作り出されたエネルギの放出が終了する時、前記制御回路１３０の出力端子１５０からのオン信号をオフさせ（図１２−ｃ参照）、同時に前記制御回路１３０の出力端子１４０からオン信号を出力する（図１２−ｄ参照）。
【００５１】
上記出力端子１４０より、オン信号“Ｈ”が出力されると、前記電池１００より上記発振トランス２４０の第２の１次巻線２４２、前記充電用スイッチング素子２３０に電流が流れる。
【００５２】
前記第２の１次巻線２４２に電流が流れると、１次巻線に電気エネルギが発生し、この電気エネルギは電磁誘導作用によって上記発振トランス２４０の２次巻線２４３に伝達され、この２次巻線２４３で磁気エネルギは電気エネルギに変換され、２次巻線２４３に電流が流れ、この電流は前記ブリッジダイオード２５０を介して前記メインコンデンサ１７と上記トリガコンデンサ２９０に電荷を蓄積する。
【００５３】
このように、上記制御回路１３０の上記出力端子１５０、１４０を交互にオンオフさせることにより、上記充電用スイッチング素子２００、２３０が交互にオンオフし（図１２−ｃ、ｄ参照）、前記メインコンデンサ１７と上記トリガコンデンサ２９０には電荷が蓄積されて充電される。そして、前記メインコンデンサ１７の充電電圧（Ｖ）が所定電圧（Ｖａ）に達したところで（図１２−ｅ参照）前記制御回路１３０からの出力を停止する。その後、前記制御回路１３０の出力端子１６０よりオフ信号“Ｌ”を出力し（図１２−ｂ参照）、上記発光切替用リレースイッチ２６０を開放させ、充電動作を終了させる。なお、前記制御回路１３０の出力端子１７０は、充電期間中はオフにさせたままである（図１２−ａ参照）。
【００５４】
次に、本発明の第２実施の形態におけるストロボ回路のフラット発光動作（少量の光量が必要な場合の発光動作）を図１１、および図１３のタイムチャートを用いて説明する。
図１２で説明したコンデンサへの充電の完了後、前記図７のレリーズ釦５の押動操作によりレリーズ信号が図示しないＣＰＵに入力されると（図１３−ａ参照）、前記制御回路１３０の出力端子１６０がオフのまま（図１３−ｂ参照）、出力端子１７０よりオン信号が出力され（図１３−ｅ参照）、このオン信号を受けて前記発光用スイッチング素子１２０がオンする。すると、前記トリガコンデンサ２９０に蓄積されていた電荷が発光用スイッチング素子１２０、前記トリガコイル２８０の１次巻線２８１を流れる。
【００５５】
前記トリガコイル２８０の１次巻線２８１に電流が流れると、この１次巻線２８１に電気エネルギが発生し、電磁誘導作用によりエネルギは上記トリガコイル２８０の２次巻線２８２に伝達され、電圧に変換される。この２次巻線２８２は、上記Ｘｅ管１２Ａの外壁のトリガ電極３０１に接続され、前記Ｘｅ管１２Ａは、非常に高い抵抗値となっているため、前記トリガコイル２８０の２次巻線２８２に伝達された電気エネルギは電圧に変換され、前記Ｘｅ管１２Ａの外壁３０１には高電圧が印加される。
【００５６】
前記Ｘｅ管１２Ａの外壁のトリガ電極３０１に高電圧が印加されると、Ｘｅ管内部のキセノンガスが励起され、絶縁抵抗が小さくなり、電流が流れるようになる。このとき、前記制御回路１３０の出力端子１５０より、オン信号を出力すると（図１３−ｃ参照）、上述したように前記発振トランス２４０の第１の１次巻線２４１にエネルギが発生し、２次巻線２４３にエネルギが伝達され、前記ブリッジダイオード２５０を介して前記Ｘｅ管１２Ａに電流Ｉｘｅが流れる（図１３−ｆ参照）。このＸｅ管１２Ａに電流が流れると、前記Ｘｅ管１２Ａは発光する。
【００５７】
前記発振トランス２４０の第１の１次巻線２４１で発生するエネルギは小さいため、前記Ｘｅ管１２Ａの発光している時間は短い（図１３−ｃ、ｆ参照）。
【００５８】
そこで、前記制御回路１３０の出力端子１５０をオフさせると同時に、前記出力端子１４０よりオン信号を出力し（図１３−ｃ、ｄ参照）、今度は前記発振トランス２４０の第２の１次巻線２４２でエネルギを発生させ、前記２次巻線２４３にエネルギを伝達させる。
【００５９】
このように、上記制御回路１３０の出力端子１５０、１４０を交互にオンオフさせることにより、上記発振トランス２４０の第１の１次巻線２４１、第２の１次巻線２４２は交互にエネルギの発生を繰り返すことで（図１３−ｃ、ｄ参照）、前記Ｘｅ管１２Ａに電流Ｉｘｅを流し（図１３−ｆ参照）、フォーカルプレーンシャッタの先幕が開放してから、後幕が遮光するまでの間（図１３−ｇ、ｈ参照）、前記Ｘｅ管１２Ａから一定量のフラット発光を複数回行うことができる。
【００６０】
尚、このフラット発光は、前記メインコンデンサ１７に充電された電荷を使用しないため、発光量は少なくなっており、この発光量を“ｎ”と規定する。
【００６１】
フラット発光が所定時間に達したら、前記制御回路の出力端子１５０、１４０を共にオフさせ、発光を停止させる（図１３−ｃ、ｄ、ｆ参照）。尚、出力端子１６０は、フラット発光の間はオフさせたままである（図１３−ｂ参照）。
【００６２】
次に、この第２実施の形態におけるストロボ発光回路において、大光量の発光をさせる場合の発光動作を、図１１および図１４のタイムチャートを用いて説明する。
図１２で説明した充電の完了後、前記図７のレリーズ釦５の押動操作によりレリーズ信号が図示しないＣＰＵに入力されると（図１４−ａ参照）、前記制御回路１３０の出力端子１６０よりオン信号を出力し（図１４−ｂ参照）、発光切替用リレースイッチ２６０がオンすることにより、前記メインコンデンサ１７と上記Ｘｅ管１２Ａは導通状態となる。
【００６３】
この状態で前記出力端子１７０よりオン信号が出力されると（図１４−ｅ参照）、このオン信号を受けて前記発光用スイッチング素子１２０がオンし、前記トリガコンデンサ２９０に蓄積されていた電荷が、発光用スイッチング素子１２０、前記トリガコイル２８０の１次巻線２８１を流れる。
【００６４】
前記トリガコイル２８０の１次巻線２８１に電流が流れると、この１次巻線２８１の電気エネルギがトリガコイル２８０の２次巻線２８２に伝達され、この２次巻線２８２は、上記Ｘｅ管１２Ａの外壁のトリガ電極３０１に接続され、前記Ｘｅ管１２Ａは非常に高い抵抗値となっているため、前記トリガコイル２８０の２次巻線２８２に伝達された電気エネルギは電圧に変換され、前記Ｘｅ管１２Ａの外壁のトリガ電極３０１には高電圧が印加される。
【００６５】
前記Ｘｅ管１２Ａの外壁のトリガ電極３０１に高電圧が印加されると、Ｘｅ管内部のキセノンガスが励起され、絶縁抵抗が小さくなり、前記メインコンデンサ１７に蓄積された電荷が前記Ｘｅ管１２Ａを通り発光用スイッチング素子１２０を介して電流Ｉｘｅとして流れる（図１４−ｆ参照）。このＸｅ管１２Ａに電流が流れると、前記Ｘｅ管１２Ａは発光する。
【００６６】
このようにして、フォーカルプレーンシャッタが開放してから、遮光するまでの間（図１４−ｇ参照）、前記Ｘｅ管１２Ａから大光量の発光を行うことができる。
【００６７】
尚、上記大光量の発光は、前記メインコンデンサ１７に充電された電荷によって発光させているため、この発光量をｎ´と規定すると、前記フラット発光時の発光量ｎ（図１３参照）よりもｎ´は大きくなり、発光量が多くなる。
【００６８】
この大光量の発光が所定時間に達したら、前記制御回路１３０の出力端子１７０をオフさせ、発光を停止させる（図１４ｅ、ｆ参照）。尚、前記制御回路１３０の出力端子１５０、１４０は、この発光の間はオフさせたままである（図１４−ｃ、ｄ参照）。
【００６９】
このように本発明の第２実施の形態のストロボ装置においては、発光切替用リレースイッチ２６０のオンオフの切替により、撮影のための露出秒時が上記フォーカルプレーンシャッタのストロボ同調秒時よりも速いときには、フラット発光を行なわせ、メインコンデンサ１７を使用せずに撮影のための露出秒時が上記フォーカルプレーンシャッタのストロボ同調秒時、並びにストロボ同調秒よりも遅いときには、メインコンデンサ１７を使用するように、選択して本発光を行わせるようにできる。また、本発光に先立ってフラット発光を行った後でも、メインコンデンサの電荷が減らないので、大光量発光を行うことができる。
【００７０】
尚、本発明の第２実施の形態においては、撮影のための露出秒時が上記フォーカルプレーンシャッタのストロボ同調秒時よりも速いときには、メインコンデンサを用いることなく、フラット発光をさせるようにしたが、撮影のための露出秒時が上記フォーカルプレーンシャッタのストロボ同調秒時、並びにストロボ同調秒時よりも遅いときにフラット発光を行う場合には、メインコンデンサを用いてフラット発光を行わせるようにしても良いことは勿論で、フォーカルプレーンシャッタのシャッタ速度に応じて、放電管に供給する発光供給源を選択することができるカメラのためのストロボ装置を提供できる。
【００７１】
また、上記のようにシャッタの露出秒時がストロボ同調秒時より遅いときに、フラット発光を行えば、充電時間を待つ必要もない。
【００７２】
【発明の効果】
以上説明したように本発明によれば、露光秒時がフォーカルプレーンシャッタのストロボ同調秒時よりも速いときには、充電時間を必要とするメインコンデンサを用いることなく、電源電池のみでフラット発光ができるストロボ装置を提供でき、シャッタチャンスを逃す可能性を少なくすることができる。
【図面の簡単な説明】
【図１】本発明の第１実施の形態を示すストロボ装置を有するカメラを右斜め上方から見た外観斜視図、
【図２】図１のＩＩ−ＩＩ´線に沿う断面図、
【図３】図１の内部構成の概略を示した透視斜視図、
【図４】図３のストロボ発光部の構造を示した断面図、
【図５】本発明の第１実施の形態を示すストロボ装置の発光回路を示した電気回路図、
【図６】図５に示した発光回路の各部の動作のタイミングチャート、
【図７】本発明の第２実施の形態を示すストロボ装置を有するカメラを右斜め上方から見た外観斜視図、
【図８】図７のＩＸ−ＩＸ´線に沿う断面図、
【図９】図７の内部構成の概略を示した透視斜視図、
【図１０】図９のストロボ発光部の構造を示した断面図、
【図１１】本発明の第２実施の形態を示すストロボ装置の発光回路を示した電気回路図、
【図１２】図１１に示した発光回路におけるメインコンデンサへの充電動作を説明したタイミングチャート、
【図１３】図１１に示した発光回路におけるフラット発光動作を説明したタイミングチャート、
【図１４】図１１に示した発光回路における本発光動作を説明したタイミングチャート。
【符号の説明】
１０…フォーカルプレーンシャッタ
２０、１００…電池（第２の発光手段）
３０、１３０…制御回路（制御手段）
６０、２４０…発振トランス
１２、１２Ａ…発光放電管（Ｘｅ管）
１７…メインコンデンサ（第１の発光手段）
【図１】
2004045864.tif 000003
【図２】
2004045864.tif 000004
【図３】
2004045864.tif 000005
【図４】
2004045864.tif 000006
【図５】
2004045864.tif 000007
【図６】
2004045864.tif 000008
【図７】
2004045864.tif 000009
【図８】
2004045864.tif 000010
【図９】
2004045864.tif 000011
【図１０】
2004045864.tif 000012
【図１１】
2004045864.tif 000013
【図１２】
2004045864.tif 000014
【図１３】
2004045864.tif 000015
【図１４】
2004045864.tif 000016